(57)【要約】【課題】本発明は、音楽ホール等で演奏を行う場合に新しい大正琴の能力を十分発揮することができる大正琴載置台を提供することを目的とするものである。【解決手段】大正琴載置台１は、支持部２の上部に取り付けられた支持板２０の両端側にそれぞれ当接部３及び４が設けられており、当接部３は支持板２０に固定され、当接部４は位置決めネジ部５により支持板２０に位置決め固定されている。当接部３は、支持板２０の一端側に固定された載置板３０の両端に立設する一対の棒状体３１ａ及び３１ｂを備えており、当接部４は、支持板２０の他端側に配設された載置板４０の両端に立設する一対の棒状体４１ａ及び４１ｂを備えている。載置板４０には、位置決めネジ部５のネジ部材が挿着されており、ネジ部材は支持板２０の長手方向に沿って穿設された位置決め用長孔５０に挿入されてナットにより固定されている。【選択図】図１
2007187946.tif 000002
【特許請求の範囲】
【請求項１】
演奏ユニット体及び当該演奏ユニット体を上部に載置固定した共鳴胴を備えた大正琴の載置台であって、前記共鳴胴の底面に対向する支持部と、前記支持部の両端側にそれぞれ設けられるとともに前記共鳴胴の底面及び側面に当接する一対の当接部と、前記当接部により前記共鳴胴が挟持されて保持されるように前記当接部の少なくとも一方を前記支持部に位置決め固定する位置決め部とを備えていることを特徴とする大正琴載置台。
【請求項２】
前記当接部は、前記共鳴胴の底面を載置する載置板と、当該載置板に立設されるとともに前記共鳴胴の側面に圧接される一対の棒状体とを備えていることを特徴とする請求項１に記載の大正琴載置台。
【発明の詳細な説明】
【技術分野】
【０００１】
本発明は、大正琴を演奏する際に載置するための大正琴載置台に関する。
【背景技術】
【０００２】
従来の大正琴は、直方体状の共鳴胴本体の上面の一端側に弦の一端を巻回する糸巻装置及び弦を支持する上駒を設け、上面の他端側に弦の他端を係止する弦係止部材及び弦を支持する下駒を設け、上駒と下駒との間に張設した弦の張力を糸巻装置により調節して所定の音（例えばＧ音）に調律し、下駒に近い演奏位置においてピック（義甲）で撥弦することにより、音を発生させるようにしている。そして、上駒と下駒との間に張設した弦の下方には所定位置にフレットが設けられた指板が配設されており、鍵キーを押下して指板に弦を圧接することで、所定の音階が発音するようになっている。
【０００３】
こうした従来の大正琴では、演奏する際に載置台が用いられている。例えば、特許文献１では、大正琴を載置する琴載置板の前縁に楽譜面板を蝶番により取り付け、琴載置板の裏面には折り畳脚を取り付け、譜面板の裏面には琴載置板の高さより背丈の長い一本脚を折り畳可能に取り付けた大正琴載置台が記載されている。
【特許文献１】実開平６−４０９９６号公報
【発明の開示】
【発明が解決しようとする課題】
【０００４】
本発明者らは、従来の大正琴では困難であった音楽ホール等での演奏が可能な音色及び音量を備えた大正琴を開発した（特願２００５−１４８９０６号、意匠登録第１２５５４６０号、意匠登録第１２５５３２２号参照）。こうした新しい大正琴は、演奏手法や演奏形式の新たな領域を切り開くものと期待されているが、それに対応した新たな演奏補助具の開発が必要となる。
【０００５】
そこで、本発明は、音楽ホール等で演奏を行う場合に新しい大正琴の能力を十分発揮することができる大正琴載置台を提供することを目的とするものである。
【課題を解決するための手段】
【０００６】
本発明に係る大正琴載置台は、演奏ユニット体及び当該演奏ユニット体を上部に載置固定した共鳴胴を備えた大正琴の載置台であって、前記共鳴胴の底面に対向する支持部と、前記支持部の両端側にそれぞれ設けられるとともに前記共鳴胴の底面及び側面に当接する一対の当接部と、前記当接部により前記共鳴胴が挟持されて保持されるように前記当接部の少なくとも一方を前記支持部に位置決め固定する位置決め部とを備えていることを特徴とする。さらに、前記当接部は、前記共鳴胴の底面を載置する載置板と、当該載置板に立設されるとともに前記共鳴胴の側面に圧接される一対の棒状体とを備えていることを特徴とする。
【発明の効果】
【０００７】
上記のような構成を有することで、共鳴胴の底面に対向する支持部の両端側に共鳴胴の底面及び側面に当接する当接部を設けているので、共鳴胴の両側から当接部により挟持するようになり、共鳴胴の音響効果に重要な役割を果たす共鳴胴の底面に対して与える影響を抑えて大正琴を載置保持することができる。また、新しい大正琴は共鳴胴が大きく形成されているため、共鳴胴を保持することで演奏動作を安定して行うことが可能となり、立奏や座奏に用いる演奏スタンドとして好適のものとなる。
【０００８】
また、当接部が、共鳴胴の底面を載置する載置板と、当該載置板に立設されるとともに共鳴胴の側面に圧接される一対の棒状体とを備えることで、共鳴胴の側面を棒状体で両側から圧接するようになり、共鳴胴を安定した状態で保持できるとともに音響効果に与える影響をより小さくすることができる。
【発明を実施するための最良の形態】
【０００９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１０】
図１は、本発明に係る実施形態に関する外観斜視図を示している。大正琴載置台１は、支持部２の上部に取り付けられた支持板２０の両端側にそれぞれ当接部３及び４が設けられており、当接部３は支持板２０に固定され、当接部４は位置決めネジ部５により支持板２０に位置決め固定されている。図２から図４は、支持板２０から上の構造に関する上面図（図２）、正面図（図３）及び底面図（図４）を示している。
【００１１】
支持部２は、細長い帯状の支持板２０と、支持板２０の中央部分の下面に固定ネジ２３により固定された載置台２２と、載置台２２を上端に固定する支持軸２１と、支持軸２１を保持する脚台２４を備えている。そして、脚台２４により支持板２０の高さを調整することができる。
【００１２】
当接部３は、支持板２０の一端側に固定された載置板３０と、載置板３０の両端に立設する一対の棒状体３１ａ及び３１ｂを備えており、棒状体３１ａ及び３１ｂの外周はゴム等の弾性材料により被覆されている。当接部４は、支持板２０の他端側に配設された載置板４０と、載置板４０の両端に立設する一対の棒状体４１ａ及び４１ｂを備えており、棒状体４１ａ及び４１ｂの外周はゴム等の弾性材料により被覆されている。載置板４０には、位置決めネジ部５のネジ部材が挿着されており、ネジ部材は支持板２０の長手方向に沿って穿設された位置決め用長孔５０に挿入されてナットにより固定されている。
【００１３】
したがって、位置決めネジ部５のナットを緩めて載置板４０を支持板２０の長手方向に移動することができ、載置板４０を移動させて所望の位置でナットを締めることで当接部４を位置決め固定することが可能となる。
【００１４】
なお、上述した例では、各棒状体を載置板に固定しているが、根元部分を載置板に回動可能に軸支して使用時に立設するように構成することもできる。
【００１５】
図５から図７は、大正琴載置台１に大正琴を載置した状態を示す上面図（図５）、底面図（図６）及び正面図（図７）である。
【００１６】
大正琴１０は、共鳴胴１１の一方の端部側の側面にユニット支持部１３が固定されており、他方の端部側に手置き台１４が固定されている。そして、演奏ユニット体１２は、一方の端部側がユニット支持部１３の上面に密着して固定され、他方の端部側が共鳴胴１１の上方に延設されている。そして、演奏ユニット体１２の下面と共鳴胴１１の上面との間には所定の間隔の間隙１５が形成されて両者は離間した状態となっている。
【００１７】
共鳴胴１１は、上板１１ａ及び下板１１ｂが徳利状に膨らんだ形状に形成されており、上板１１ａ及び下板１１ｂの周縁部に所定幅の側板１１ｃが接着されている。上板１１ａ、下板１１ｂ及び側板１１ｃは、木製の薄板からなり、側板１１ｃは、上板１１ａ及び下板１１ｂの膨らんだ周縁に合せて湾曲形成されている。したがって、共鳴胴１１の内部は上板１１ａ及び１１ｂの外形状に沿った空洞が形成されている。上板１１ａ及び下板１１ｂの形状は、膨らんだ形状であれば、徳利状以外の形状、例えば菱形や瓢箪状でもよく、表面積が大きいほど共鳴による音量を豊かにすることができる。
【００１８】
そして、下板１１ｂの底面には両端側にそれぞれ一対の載置突起部材１６が接着固定されている。載置突起部材１６は、ゴム等の弾性材料からなり、大正琴１０を載置した際に、載置面から共鳴胴１１の底面が浮いた状態となるように所定の高さ寸法に設定されている。
【００１９】
演奏ユニット体１２には、厚みのある木製の矩形状基台の一方の端部側に糸巻部１２ａが設置固定され、糸巻部１２ａには、３本の弦１２ｂの一方の端部をそれぞれ巻付バーに巻回して巻付バーを摘み部により回転させることで弦１２ｂに与える張力を調節する。糸巻部１２ａに隣接して鍵キー作動機構１２ｃが配置固定されており、鍵キー作動機構１２ｃは、弦１２ｂの張設方向に複数の鍵キーが配列されており、鍵キーを押下することで、鍵キーと指板との間に弦１２ｂが圧接挟持されるようになる。指板上には、弦１２ｂが所定の音の高さで振動する弦長となる位置にフレットが複数突設されており、鍵キーを押下すると弦１２ｂが圧接された状態となり、対応するフレットの弦長に基づく音を奏することができる。こうした鍵キー作動機構の構造は公知のものと同様である。
【００２０】
糸巻部１２ａに一方の端部を巻回された弦１２ｂは、鍵キー作動機構１２ｃ内を通り下駒１２ｄの上端に係合して手置き台１４の根元部分において共鳴胴１１の側面に固定された弦係止部材に係止されている。
【００２１】
手置き台１４は、木製の板状体で根元部分が折れ曲がるように形成されており、先端が下駒１２ｄに近接した位置まで延設されている。そして、根元部分が共鳴胴１１の側面に固定されている。また、根元部分には、矩形状の開口部が形成されて上述した弦係止部材が配置されている。
【００２２】
大正琴１０を載置する場合、共鳴胴１１の他方の端部側を当接部３の一対の棒状体３１ａ及び３１ｂの間に挿入して棒状体３１ａ及び３１ｂで挟持した状態とする。そして、位置決めネジ部５のナットを緩め当接部４を可動状態として、共鳴胴１１の一方の端部側を棒状体４１ａ及び４１ｂの間に挿入するように載置板４０に載置した後、当接部４を移動させて棒状体４１ａ及び４１ｂが共鳴胴１１の側面１１ｃに圧接するように位置決めして位置決めネジ部５を締付固定する。
【００２３】
この状態では、共鳴胴１１の側面１１ｃが二対の棒状体により圧接挟持されて安定して保持されるとともに、載置板３０及び４０の上面に載置突起部材１６が当接した状態となる。そのため、共鳴胴１１の下板１１ｂは支持部２に接触することがなく、共鳴胴１１の音響効果に対する影響を抑えることができる。
【００２４】
演奏する場合には、手置き台１４に手を置き、鍵キー作動機構１２ｃと下駒１２ｄとの間の演奏位置においてピックにより弦１２ｂを弾くことで発音するようになる。共鳴胴２の上板２ａには、演奏位置を囲むように一対の三日月状の響口が穿設されており、共鳴胴１１の振動から発する音の音色を豊かなものにする。
【００２５】
そして、共鳴胴１１の下板１１ｂが支持部２に接触していないので、大正琴１０の性能を十分発揮して演奏を行うことができる。また、脚台２４により支持部２の高さを調整すれば、大正琴１０の位置を最適の演奏位置に設定することができ、大正琴１０を立奏する場合や椅子に座って演奏する場合等様々な演奏スタイルに合せて調整することが可能となる。
【図面の簡単な説明】
【００２６】
【図１】本発明に係る実施形態に関する外観斜視図である。
【図２】支持板から上の構造に関する上面図である。
【図３】支持板から上の構造に関する正面図である。
【図４】支持板から上の構造に関する底面図である。
【図５】大正琴載置台に大正琴を載置した状態を示す上面図である。
【図６】大正琴載置台に大正琴を載置した状態を示す底面図である。
【図７】大正琴載置台に大正琴を載置した状態を示す正面図である。
【符号の説明】
【００２７】
１    大正琴載置台
２    支持部
３    当接部
４    当接部
５    位置決めネジ部
10    大正琴
11    共鳴胴
12    演奏ユニット体
20    支持板
30    載置板
31    棒状体
40    載置板
41    棒状体
【図１】
2007187946.tif 000003
【図２】
2007187946.tif 000004
【図３】
2007187946.tif 000005
【図４】
2007187946.tif 000006
【図５】
2007187946.tif 000007
【図６】
2007187946.tif 000008
【図７】
2007187946.tif 000009